(57)【特許請求の範囲】
【請求項１】
ユーザが触れた表示画面上の位置情報を検出する入力装置を備える携帯端末装置であって、
前記表示画面上に設けられた第１電極と、
前記携帯端末装置の筐体表面に設けられた第２電極と、
前記第１電極と前記第２電極との間で通電した際の抵抗値を測定する抵抗値測定手段と、
前記抵抗値測定手段による測定結果に基づいて、ユーザが片手で端末操作を行うための片手操作モードとユーザが両手で端末操作を行うための両手操作モードとを切り替える操作モード切り替え手段と、
を有することを特徴とする携帯端末装置。
【請求項２】
ユーザが触れた表示画面上の位置情報を検出する入力装置を備える携帯端末装置であって、
前記表示画面上に設けられた第１電極と、
前記携帯端末装置の筐体の面のうち、前記表示画面と同一の平面を有さない少なくとも１つの面に設けられた第２電極と、
前記第１電極と前記第２電極との間で通電した際の抵抗値を測定する抵抗値測定手段と、
前記抵抗値測定手段による測定結果に基づいて、ユーザが片手で端末操作を行うための片手操作モードとユーザが両手で端末操作を行うための両手操作モードとを切り替える操作モード切り替え手段と、
を有することを特徴とする携帯端末装置。
【請求項３】
前記操作モード切り替え手段は、操作モードが両手操作モードの状態で前記抵抗値測定手段により測定された抵抗値が閾値を下回った場合に片手操作モードに切り替え、操作モードが片手操作モードの状態で前記抵抗値測定手段により測定された抵抗値が閾値を上回った場合に両手操作モードに切り替えることを特徴とする請求項１又は２に記載の携帯端末装置。
【請求項４】
前記抵抗値測定手段により測定された抵抗値を蓄積し、前記蓄積された抵抗値のデータを用いて閾値を更新する閾値更新手段を有することを特徴とする請求項１から３のいずれか１項に記載の携帯端末装置。
【請求項５】
前記片手操作モードは、前記表示画面全体に表示する表示内容を縮小して表示し、前記縮小表示に対するユーザの操作内容を受け付けることを特徴とする請求項１から４のいずれか１項に記載の携帯端末装置。
【請求項６】
前記片手操作モードは、前記表示画面にカーソルを表示し、前記カーソルに対するユーザの操作内容を受け付けることを特徴とする請求項１から４のいずれか１項に記載の携帯端末装置。
【請求項７】
ユーザが触れた表示画面上の位置情報を検出する入力装置と、前記表示画面上に設けられた第１電極と、筐体表面に設けられた第２電極と、前記第１電極と前記第２電極との間で通電した際の抵抗値を測定する抵抗値測定手段と、を備える携帯端末装置に用いられ、
コンピュータに、
前記抵抗値測定手段により測定された抵抗値のデータを取得する抵抗値データ取得処理と、
前記抵抗値データ取得処理で取得された抵抗値のデータに基づいて、ユーザが片手で端末操作を行うための片手操作モードとユーザが両手で端末操作を行うための両手操作モードとを切り替える操作モード切り替え処理と、
を実行させることを特徴とするプログラム。
【発明の詳細な説明】
【技術分野】
【０００１】
本発明は、携帯端末装置及びプログラムに関し、特に、タッチパネルを搭載した携帯端末装置における入力インターフェースに好ましく適用される技術に関するものである。
【背景技術】
【０００２】
近年、操作方法が直感的で分かりやすく、見やすい大きな画面のタッチパネルが、携帯電話機やＰＤＡ（Personal Digital Assistant）といった携帯端末装置に搭載されてきている。このような携帯端末装置では、タッチパネルを用いることで、キーボードやキーパッド等の操作に不慣れなユーザでも容易に操作が行えるというメリットがある。
【０００３】
一方で、タッチパネルを搭載した携帯端末装置の操作でユーザが指を動かす範囲は、従来のキーボードやキーパッド等を用いた携帯端末装置の場合と比較して広くなっており、片手で操作するにはユーザの負荷が大きい。このため、指の位置から遠いオブジェクト等を選択する際の指の疲労や、押し間違え等がない、安定した操作をしようとすると必然的に両手での操作となってしまう。
【０００４】
このように、タッチパネルを搭載した携帯端末装置の安定した操作には、必然的に両手を要するが、実際にはユーザは歩きながら、あるいは、電車内でつり革につかまりながら等、携帯端末装置を片手で操作することが多い。つまり、タッチパネルを搭載した携帯端末装置は、キーボードやキーパッド等を用いた携帯端末装置と同様に片手で安定して操作できるものでなければ、ユーザにとって操作性の高い携帯端末装置とはいえない。
【０００５】
例えば特許文献１には、ユーザに特に意識させることなく、ユーザにとって最適な表示を行うことができる、持ちやすい情報処理装置が開示されている。当該情報処理装置は、略直方体形状の扁平な筐体を有し、メインディスプレイを挟んだ筐体の両側面にシート上の感圧センサが設けられ、感圧センサの出力に基づいてメインディスプレイの表示制御を行っている。
【先行技術文献】
【特許文献】
【０００６】
【特許文献１】特開２００８−２７１８３号公報
【発明の概要】
【発明が解決しようとする課題】
【０００７】
本発明は、タッチパネル搭載の携帯端末装置を片手で安定して操作できるようにすることを目的とする。
【課題を解決するための手段】
【０００８】
本発明の一側面である第１の携帯端末装置は、ユーザが触れた表示画面上の位置情報を検出する入力装置を備える携帯端末装置であって、表示画面上に設けられた第１電極と、携帯端末装置の筐体表面に設けられた第２電極と、第１電極と第２電極との間で通電した際の抵抗値を測定する抵抗値測定手段と、抵抗値測定手段による測定結果に基づいて、ユーザが片手で端末操作を行うための片手操作モードとユーザが両手で端末操作を行うための両手操作モードとを切り替える操作モード切り替え手段と、を有する携帯端末装置である。
【０００９】
本発明の一側面である第２の携帯端末装置は、ユーザが触れた表示画面上の位置情報を検出する入力装置を備える携帯端末装置であって、表示画面上に設けられた第１電極と、携帯端末装置の筐体の面のうち、表示画面と同一の平面を有さない少なくとも１つの面に設けられた第２電極と、第１電極と第２電極との間で通電した際の抵抗値を測定する抵抗値測定手段と、抵抗値測定手段による測定結果に基づいて、ユーザが片手で端末操作を行うための片手操作モードとユーザが両手で端末操作を行うための両手操作モードとを切り替える操作モード切り替え手段と、を有する携帯端末装置である。
【００１０】
上記の携帯端末装置において、操作モード切り替え手段が、操作モードが両手操作モードの状態で抵抗値測定手段により測定された抵抗値が閾値を下回った場合に片手操作モードに切り替え、操作モードが片手操作モードの状態で抵抗値測定手段により測定された抵抗値が閾値を上回った場合に両手操作モードに切り替えるものであってもよい。
【００１１】
上記の携帯端末装置において、抵抗値測定手段により測定された抵抗値を蓄積し、蓄積された抵抗値のデータを用いて閾値を更新する閾値更新手段を有するものであってもよい。
【００１２】
上記の携帯端末装置において、片手操作モードが、表示画面全体に表示する表示内容を縮小して表示し、該縮小表示に対するユーザの操作内容を受け付けるものであってもよい。
【００１３】
上記の携帯端末装置において、片手操作モードが、前記表示画面にカーソルを表示し、該カーソルに対するユーザの操作内容を受け付けるものであってもよい。
【００１４】
本発明の一側面であるプログラムは、ユーザが触れた表示画面上の位置情報を検出する入力装置と、表示画面上に設けられた第１電極と、筐体表面に設けられた第２電極と、第１電極と第２電極との間で通電した際の抵抗値を測定する抵抗値測定手段と、を備える携帯端末装置に用いられ、コンピュータに、抵抗値測定手段により測定された抵抗値のデータを取得する抵抗値データ取得処理と、抵抗値データ取得処理で取得された抵抗値のデータに基づいて、ユーザが片手で端末操作を行うための片手操作モードとユーザが両手で端末操作を行うための両手操作モードとを切り替える操作モード切り替え処理と、を実行させるプログラムである。
【発明の効果】
【００１５】
本発明によれば、タッチパネル搭載の携帯端末装置を片手で安定して操作することが可能となる。
【図面の簡単な説明】
【００１６】
【図１】本発明の実施形態に係る携帯電話機の外観図である。
【図２】本発明の実施形態に係る携帯電話機のハードウェア構成図である。
【図３】本発明の実施形態に係る携帯電話機の機能構成図である。
【図４】本発明の実施形態に係る携帯電話機における電極間の電流の流れ方の説明図である。
【図５】本発明の実施形態に係る操作モード切り替え処理を示したフローチャートである。
【図６】本発明の実施形態に係る閾値更新処理を示したフローチャートである。
【図７】本発明の実施形態に係る閾値更新処理の説明図である。
【図８】本発明の実施形態に係る片手操作モード及び両手操作モードの処理例（画面縮小表示）の説明図である。
【図９】本発明の実施形態に係る片手操作モード及び両手操作モードの処理例（カーソル操作）の説明図である。
【発明を実施するための形態】
【００１７】
以下、本発明の実施形態について図面を参照して説明する。
【００１８】
図１は、本発明の実施形態に係る携帯電話機の外観図である。本実施形態の携帯電話機１は、入力インターフェースとしてタッチパネルを搭載した携帯端末装置である。ディスプレイの表面にタッチパネル５が設けられ、ディスプレイの上部にスピーカ４、下部にマイク３がそれぞれ配置されている。また、本発明では、複数の電極を設けて、これら電極間で通電した際の抵抗値に基づいて操作モードの切り替えを行うが、本実施形態では、第１電極７をタッチパネル５上に、第２電極８を端末筐体２の両側部（マイク３及びスピーカ４の配置されていない長辺の側部）に、それぞれ配置している。なお、第２電極８は、ディスプレイと同一の面とならない、いずれの筐体表面でもよく、例えばディスプレイの裏側の筐体表面に設けてもよい。
【００１９】
図２は、本発明の実施形態に係る携帯電話機のハードウェア構成図である。携帯電話機１は、ＣＰＵ（Central Processing Unit）１１、無線部１２、ＲＡＭ（Random Access Memory）１３、ＲＯＭ（Read Only Memory）１４、音声処理部１５、入力処理部１６、表示処理部１７、抵抗値測定部１８、マイク３、スピーカ４、タッチパネル５、ディスプレイ６、第１電極７、第２電極８を有する。
【００２０】
ＣＰＵ１１は、携帯電話機１全体の動作を制御する。具体的には、ＣＰＵ１１は、携帯電話機１の起動時及びその後必要に応じて、ＲＯＭ１４からプログラムやデータを読み出し、ＲＡＭ１３を利用してプログラムを実行する。ＣＰＵ１１は、例えば、無線部１２から取得する受信データ、音声処理部１５から取得する音声データ、入力処理部１６から取得する入力信号等に基づいて、各種処理を行う。そして、処理結果として、無線部１２へ出力する送信データ、音声処理部１５へ出力する音声データ、表示処理部１７に出力する画像データ等を生成する。
【００２１】
無線部１２は、無線信号処理を行い、基地局といった他の通信装置との無線通信を実現する。具体的には、無線部１２は、携帯電話機１に搭載されたアンテナを介して受信した信号を復調・復号し、得られた受信データをＣＰＵ１１に出力する。また、無線部１２は、ＣＰＵ１１から取得した送信データを符号化・変調し、アンテナを介して得られた送信信号を出力する。
【００２２】
ＲＡＭ１３は、ＣＰＵ１１が実行するプログラムや処理に用いるデータを一時的に格納するメモリである。ＲＡＭ１３には、ＣＰＵ１１によって各種プログラムやデータの少なくとも一部が一時的に格納される。また、ＣＰＵ１１によってＲＡＭ１３に格納されたデータが適宜更新される。なお、ＲＡＭ１３に代えて、他の種類の揮発性メモリを用いてもよい。
【００２３】
ＲＯＭ１４は、ＣＰＵ１１が実行するプログラムや処理に用いるデータを格納するメモリである。ＲＯＭ１４には、本発明特有の測定抵抗値に基づく操作モード切り替え処理を実行するためのプログラムや、通信機能や表示制御機能を実現する各種プログラムが予め格納されている。また、ＲＯＭ１４には、測定抵抗値に基づく操作モード切り替え処理に用いる閾値等、これらプログラムと共に用いられる各種データが格納され、これらの各種データは更新可能となっている。なお、ＲＯＭ１４に代えて、フラッシュメモリなど他の種類の不揮発性メモリを用いてもよい。
【００２４】
音声処理部１５は、音声信号処理を行う。具体的には、音声処理部１５は、ＭＩＣ３から音声アナログ信号を取得し、必要な信号変換処理を行ってＣＰＵ１１に音声データを出力する。また、音声処理部１５は、ＣＰＵ１１から音声データを取得し、必要な信号変換処理を行ってスピーカ４に音声再生させる。
【００２５】
入力処理部１６は、ユーザによる入力操作の処理を行う。具体的には、入力処理部１６は、タッチパネル５に対しタッチ操作があると、接触があったこと（ダッチダウンイベント）、接触していた物が離れたこと（ダッチアップイベント）、現在のタッチ位置の座標等を示す入力信号をＣＰＵ１１に出力する。ダッチダウンイベントからダッチアップイベントまでの間は、ドラッグ中であることを意味する。ドラッグ中は、定期的（例えば、５０ミリ秒毎）に現在のタッチ位置の座標を出力する。ただし、タッチ状況に応じて、不定期にタッチ位置の座標を出力するようにしてもよい。
【００２６】
表示処理部１７は、画像表示処理を行う。具体的には、表示処理部１７は、ＣＰＵ１１から画像データを取得し、ディスプレイ６に表示させる。なお、ディスプレイ６に表示する画像には、例えば、メニュー画面等のほか、文書・静止画像・動画像等のコンテンツが含まれる。
【００２７】
抵抗値測定部１８は、第１電極７と第２電極８との間を電流が流れた際の抵抗値を測定する。第１電極７及び第２電極８は図１に示すような配置となっており、ユーザの端末操作時には、図４に示すように両電極間で電流が流れる。例えば、ユーザが片手で操作している場合は、図４（ａ）のように手を通じて両電極間に電流が流れ、ユーザが両手で操作している場合には、手、腕、胴体を通じて両電極間に電流が流れることになる。
【００２８】
図３は、本発明の実施形態に係る携帯電話機の機能構成図である。本実施形態の携帯電話機１は、ＣＰＵ１１がＲＯＭ１４に格納された本実施形態特有のプログラムを読み込んで、両電極間を通電する際の抵抗値に基づく操作モード切り替え処理を行うための機能部である制御部１００を構成する。制御部１００は、抵抗値データ取得手段１１０、操作モード切り替え手段１２０、閾値更新手段１３０を論理的に有する。なお、各手段は、上記のようにソフト的に実現するほか、回路等を用いてハード的に実現してもよい。
【００２９】
抵抗値データ取得手段１１０は、抵抗値測定部１８が測定した第１・２電極間の抵抗値のデータを取得する。操作モード切り替え手段１２０は、ＲＯＭ１４に格納された閾値を取得し、抵抗値データ取得手段１１０が取得した抵抗値のデータと閾値を比較して、比較結果に基づいて操作モードの切り替えを行う。操作モードは、ユーザが片手で端末操作を行うための片手操作モードと、ユーザが両手で端末操作を行うための両手操作モードとからなる。閾値更新手段１３０は、抵抗値データ取得手段１１０が取得した抵抗値のデータをＲＯＭやＲＡＭ等のメモリに蓄積し、蓄積したデータを用いて閾値を更新する。
【００３０】
図５は、本発明の実施形態に係る操作モード切り替え処理を示したフローチャートである。まず、ユーザが表示画面に対する入力操作としてタッチパネル５へのタッチ操作を行うが、その際タッチダウンイベントが発生し、入力処理部１６はＣＰＵ１１にタッチダウンイベントを通知する（ステップＳ１０１）。
【００３１】
また、抵抗値測定部１８は、第１電極７・第２電極８間の通電時の抵抗値を測定し、測定した抵抗値のデータをＣＰＵ１１に送出する。ＣＰＵ１１上で構成された制御部１００の抵抗値データ取得手段１１０は、抵抗値測定部１８からの測定抵抗値データを取得する（ステップＳ１０２）。
【００３２】
制御部１００の操作モード切り替え手段１２０は、ＲＯＭ１４に格納された抵抗値の閾値データを取得し（ステップＳ１０３）、ステップＳ１０２で取得した測定抵抗値データ（測定値）とステップＳ１０３で取得した抵抗値の閾値データ（閾値）とを比較する（ステップＳ１０４）。
【００３３】
測定値が閾値未満で（ステップＳ１０４／ＹＥＳ）、現在両手操作モードである（ステップＳ１０５／ＹＥＳ）場合、操作モード切り替え手段１２０は、ユーザの操作状態が片手での操作と判定し、両手操作モードから片手操作モードへの切り替えを行う（ステップＳ１０６）。現在片手操作モードである場合（ステップＳ１０５／ＮＯ）には、片手操作モードを継続する。
【００３４】
一方、測定値が閾値以上で（ステップＳ１０４／ＮＯ）、現在片手操作モードである（ステップＳ１０６／ＹＥＳ）場合、操作モード切り替え手段１２０は、ユーザの操作状態が両手での操作と判定し、片手操作モードから両手操作モードへの切り替えを行う（ステップＳ１０８）。現在両手操作モードである場合（ステップＳ１０７／ＮＯ）には、両手操作モードを継続する。
【００３５】
そして、制御部１００の閾値更新手段１３０は、ユーザの操作状態の判定に用いる抵抗値の閾値データを更新する（ステップＳ１０９）。ユーザが両手操作で行っているケースで、ユーザが筐体を把持する手の指先がタッチパネルに接触してしまい、片手操作モードと誤認識してしまうことも考えられる。しかしながら、このように指が接触してしまうケースは非常に稀であるし、マニュアル（手動）で片手操作モードを解除する手段を設けてもよい。また、このような誤認識を想定して、指が接触しやすいタッチパネルと筐体との境界付近の範囲には電極を配置しないように設計してもよい。つまり、タッチパネル上全体に電極（第１電極７）を設けるのではなく、一部に設けるようにしてもよい。
【００３６】
図６は、本発明の実施形態に係る閾値更新処理を示したフローチャートである。制御部１００の閾値更新手段１３０は、ＲＡＭ１３に格納された過去の蓄積測定データを取得する（ステップＳ２０１）。なお、過去の測定データの格納先はＲＯＭ１４であってもよい。揮発性メモリのＲＡＭ１３に測定データを記憶させる場合、電源をＯＦＦするごとに蓄積データは消去し、電源ＯＮ時のみ測定データは蓄積されるが、不揮発性メモリのＲＯＭ１４に測定データを記憶させれば電源ＯＦＦ時にも測定データは消去せずに蓄積されることになる。
【００３７】
そして、閾値更新手段１３０は、ステップＳ２０１で取得した過去の蓄積測定データに、今回の測定データを追加し（ステップＳ２０２）、過去の蓄積測定データの中から片手操作時のピーク値と両手操作時のピーク値を求める（ステップＳ２０３、ステップＳ２０４）。そして、２つのピーク値の中間値を閾値として更新する（ステップＳ２０５）。
【００３８】
携帯電話機１の使用開始時には仮の閾値（初期値）が設定されるが、ユーザの使用とともに閾値は更新されていく。なお、初期値は、事前（メーカ出荷時）に設定してもよいし、ユーザが設定してもよい。前者は片手・両手持ち時の抵抗値に個人差が小さい場合等に好ましく、後者は個人差が大きく初期値を決められないような場合に適している。
【００３９】
その後、上述したように、携帯電話機１を操作しているユーザに最適な閾値とするために、ユーザの入力操作時に抵抗値を測定し測定データを取得していくたびに閾値を更新していく。蓄積測定データは、最も多い頻度で測定された抵抗値が把握できるように、図７に示すように、測定値ごとの出現頻度をカウントして、測定値と頻度の関係を示すデータとしてＲＡＭ１３あるいはＲＯＭ１４に保持される。
【００４０】
本発明の実施形態では、片手操作モードとして２つの例を想定している。１つは画面を縮小して操作用画面として表示するものであり、もう１つはカーソルを表示しユーザにカーソルを操作させるものである。
【００４１】
図８は、本発明の実施形態に係る片手操作モード及び両手操作モードの処理例（画面縮小表示）の説明図である。この片手操作モードでは、図８（ａ）に示すように、ディスプレイいっぱいに表示する通常画面（Ｌ座標系）に加えて、操作用画面として、通常画面の上に縮小した縮小画面（Ｓ座標系）を表示する。
【００４２】
片手操作モードは、図８（ｂ）に示すような処理となる。両手操作モードから片手操作モードに切り替わると、表示処理部１７は通常画面（Ｌ座標系）に表示された画像をもとに縮小表示出力用の画像を作成し、縮小画面（Ｓ座標系）を表示する（Ｓ１−１）。ユーザにより縮小画面への入力操作（タッチ操作）が行われた後、入力処理部１６はユーザ操作を取得する（Ｓ１−２）。ここで取得される座標データはＬ座標系の座標データである。そして、入力処理部１６は、取得したＬ座標系の座標データをＳ座標系の座標データに変換し、ＣＰＵ１１に送出する（Ｓ１−３）。
【００４３】
ＣＰＵ１１は、入力処理部１６から受け取った座標データ、すなわちＳ座標系に変換された座標データへの入力に対する処理を行う（Ｓ１−４）。そして、表示処理部１７は、ＣＰＵ１１で実行された入力に対する処理（入力結果）を通常画面及び縮小画面に表示する（Ｓ１−５）。
【００４４】
図８の片手操作モードでは、Ｌ座標系からＳ座標系への座標変換により、ユーザに縮小画面に対する操作を携帯電話機１に認識させ、返還後のＳ座標系の座標データを用いて入力処理を行うことで、縮小画面に対する操作を通常画面に対する操作として反映させている。つまり、ユーザは、特に意識することなく、縮小画面に対して入力操作を行うだけで、通常画面に対して入力操作を行っているのと同じ効果を得ることができる。
【００４５】
なお、両手操作モードは、図８（ｃ）に示すように、一般的な処理である。片手操作モードから両手操作モードに切り替わり、ユーザによる通常画面への入力操作が行われた後、入力処理部１６は、ユーザ操作（Ｌ座標系）を取得し、ＣＰＵ１１に送出する（Ｓ１−１１）。ＣＰＵ１１は、入力処理部１６から受け取った座標データへの入力に対する処理を行う（Ｓ１−１２）。そして、表示処理部１７は、ＣＰＵ１１で実行された入力に対する処理（入力結果）を通常画面に表示する（Ｓ１−１３）。
【００４６】
図９は、本発明の実施形態に係る片手操作モード及び両手操作モードの処理例（カーソル操作）の説明図である。この片手操作モードでは、図９（ａ）に示すように、ディスプレイ上にカーソルを表示させ、タッチパネル５をＰＣ等におけるタッチパッドのように用いて、カーソルをユーザに操作させる。
【００４７】
片手操作モードは、図９（ｂ）に示すような処理となる。両手操作モードから片手操作モードに切り替わると、表示処理部１７はカーソルを画面に表示する（Ｓ２−１）。そして、ユーザにより縮小画面への入力操作（タッチ操作）が行われた後、入力処理部１６は、ユーザ操作を取得し（Ｓ２−２）、取得したユーザ操作による入力内容をカーソル操作に変換し、ＣＰＵ１１に送出する（Ｓ２−３）。
【００４８】
ＣＰＵ１１は、入力処理部１６から受け取った操作データ、すなわちカーソル操作に変換された操作データへの入力に対する処理を行う（Ｓ２−４）。そして、表示処理部１７は、ＣＰＵ１１で実行された入力に対する処理（入力結果（カーソルの動き等も含む））を画面に表示する（Ｓ２−５）。
【００４９】
図９の片手操作モードでは、ユーザ入力のカーソル操作への変換により、ユーザにカーソルに対する操作を携帯電話機１に認識させ、ユーザのカーソルに対する操作を画面に対する操作として反映させている。つまり、ユーザは、特に意識することなく、カーソルに対する操作を行うだけで、画面に対して入力操作を行っているのと同じ効果を得ることができる。
【００５０】
なお、両手操作モードは、図９（ｃ）に示すように、一般的な処理である。片手操作モードから両手操作モードに切り替わり、ユーザによる通常画面への入力操作が行われた後、入力処理部１６は、ユーザ操作を取得してＣＰＵ１１に送出する（Ｓ２−１１）。ＣＰＵ１１は、入力処理部１６から受け取った座標データへの入力に対する処理を行う（Ｓ２−１２）。そして、表示処理部１７は、ＣＰＵ１１で実行された入力に対する処理（入力結果）を画面に表示する（Ｓ２−１３）。
【００５１】
なお、上述する実施形態は、本発明の好適な実施形態であり、上記実施形態のみに本発明の範囲を限定するものではなく、本発明の要旨を逸脱しない範囲において種々の変更を施した形態での実施が可能である。例えば本発明は、上述した携帯電話機のほか、ＰＤＡ、超小型ＰＣ等の携帯情報端末に適用することができる。
【００５２】
また例えば、本実施形態における携帯電話機１で実行されるプログラムは、先に述べた各手段（抵抗値データ取得手段１１０、操作モード切り替え手段１２０、閾値更新手段１３０）を含むモジュール構成となっており、実際のハードウェアを用いて具体的手段を実現する。すなわち、コンピュータ（ＣＰＵ１１）が所定の記録媒体（ＲＯＭ１４）からプログラムを読み出して実行することにより上記各手段が主記憶装置上にロードされて生成される。
【００５３】
そして、本実施形態における携帯電話機１で実行されるプログラムは、インターネット等のネットワークに接続されたコンピュータ上に格納され、ネットワーク経由でダウンロードさせることにより提供されるように構成してもよい。また、上記プログラムをインターネット等のネットワーク経由で提供あるいは配布するように構成してもよい。
【００５４】
また、上記プログラムは、インストール可能な形式又は実行可能な形式のファイルで、フロッピー（登録商標）ディスク、ハードディスク、光ディスク、光磁気ディスク、ＣＤ−ＲＯＭ、ＣＤ−Ｒ、ＤＶＤ、不揮発性のメモリカード等のコンピュータで読み取り可能な記録媒体に記録されて提供されるように構成してもよい。また、上記プログラムは、ＲＯＭ等にあらかじめ組み込んで提供するように構成してもよい。
【００５５】
この場合、上記記録媒体から読み出された又は通信回線を通じてロードし実行されたプログラムコード自体が前述の実施形態の機能を実現することになる。そして、そのプログラムコードを記録した記録媒体は本発明を構成する。
【符号の説明】
【００５６】
１    携帯電話機
２    端末筐体
３    マイク
４    スピーカ
５    タッチパネル
６    ディスプレイ
７    第１電極
８    第２電極
１１    ＣＰＵ
１２    無線部
１３    ＲＡＭ
１４    ＲＯＭ
１５    音声処理部
１６    入力処理部
１７    表示処理部
１８    抵抗値測定部
１００    制御部
１１０    抵抗値データ取得手段
１２０    操作モード切り替え手段
１３０    閾値更新手段
【図１】
0005561043.tif 000002
【図２】
0005561043.tif 000003
【図３】
0005561043.tif 000004
【図４】
0005561043.tif 000005
【図５】
0005561043.tif 000006
【図６】
0005561043.tif 000007
【図７】
0005561043.tif 000008
【図８】
0005561043.tif 000009
【図９】
0005561043.tif 000010